(57)【要約】【課題】ＥＧＲの実行時に内燃機関のオイル中でスラッジが生成されやすくなることを抑制し、そのスラッジの生成が同機関での上記オイルによる潤滑に悪影響を及ぼすことを抑制できるようにする。【解決手段】クランクケース１０から吸気通路３に戻されるブローバイガスのガス流量に関しては、ＥＧＲの実行時には同ＥＧＲの非実行時に比べて多くなるよう制御される。ＥＧＲの実行時には、同ＥＧＲの非実行時に比べて、燃焼室２からクランクケース１０に漏れるブローバイガス中における単位堆積当たりの水蒸気の量が多くなるものの、この水蒸気を多く含んだブローバイガスは上記ガス流量の制御を通じて多く且つ速やかに吸気通路３に戻されるようになる。更に、クランクケース１０内に存在する排気成分（ＮＯｘやＳＯｘ等）の量が低減されるようにもなる。その結果、ＥＧＲ実行時にクランクケース１０内に存在する水蒸気の量及び排気成分の量が少なくされる。【選択図】図１
2010112356.tif 000002
【特許請求の範囲】
【請求項１】
排気の一部を吸気通路に戻すＥＧＲを実行可能な内燃機関に適用され、同機関の燃焼室からクランクケースに漏れたブローバイガスを吸気通路に戻すとともに、その吸気通路に戻されるブローバイガスのガス流量を機関運転状態に基づき制御する内燃機関のブローバイガス処理装置において、
前記吸気通路に戻されるブローバイガスのガス流量を前記ＥＧＲの実行時には同ＥＧＲの非実行時に比べて多くする制御手段を備える
ことを特徴とする内燃機関のブローバイガス処理装置。
【請求項２】
前記内燃機関は、前記燃焼室から前記クランクケースに漏れたブローバイガスを前記吸気通路に戻すガス流出通路と、そのガス流出通路のガス流通面積を可変とすべく開閉動作するＰＣＶバルブとを備え、
前記ＰＣＶバルブは、機関運転状態に応じて算出される開度指令値に基づき開度調整され、それによって前記ガス流出通路を介して前記吸気通路に戻されるブローバイガスのガス流量を制御するものであり、
前記制御手段は、前記ＥＧＲの実行時には、前記開度指令値として同ＥＧＲの非実行時の値に対し開き側に補正した値を用いる
請求項１記載の内燃機関のブローバイガス処理装置。
【請求項３】
前記制御手段は、前記ＥＧＲの実行時に前記吸気通路に戻される排気の量が多くなるに従って、前記ＥＧＲの実行に伴う前記クランクケースから前記吸気通路に戻されるブローバイガスのガス流量の増量分を徐々に多くする
請求項１又は２記載の内燃機関のブローバイガス処理装置。
【請求項４】
前記ＥＧＲは、内燃機関の冷却水温と吸気温との少なくとも一方がそれぞれ設定された許可温度未満であるときには実行禁止されるものであり、
前記制御手段は、前記冷却水温が許可温度未満である条件のもとでは、前記冷却水温が低温判定値未満であるときに前記吸気通路に戻されるブローバイガスのガス流量を大とし、前記冷却水温が前記低温判定値以上であるときに前記ガス流量を小とするものである
請求項１〜３のいずれか一項に記載の内燃機関のブローバイガス処理装置。
【請求項５】
前記ＥＧＲは、内燃機関の冷却水温と吸気温との少なくとも一方がそれぞれ設定された許可温度未満であるときには実行禁止されるものであり、
前記制御手段は、前記冷却水温が許可温度以上になってから内燃機関の暖機が完了するまでの期間中において、前記燃焼室から前記クランクケース内に漏れたブローバイガスの同ケース内での雰囲気温度が低いときには、高いときに比べて前記吸気通路に戻されるブローバイガスのガス流量を多くする
請求項１〜４のいずれか一項に記載の内燃機関のブローバイガス処理装置。
【請求項６】
前記制御手段は、前記冷却水温が許可温度以上になってから内燃機関の暖機が完了するまでの期間中において、前記雰囲気温度が高くなるほど前記吸気通路に戻されるブローバイガスのガス流量を徐々に少なくする
請求項５記載の内燃機関のブローバイガス処理装置。
【請求項７】
請求項５又は６記載の内燃機関のブローバイガス処理装置において、
内燃機関の冷却水温を検出する水温センサを更に備え、
前記制御手段は、前記水温センサによって検出される冷却水温を前記雰囲気温度に対応する値として用いる
ことを特徴とする内燃機関のブローバイガス処理装置。
【発明の詳細な説明】
【技術分野】
【０００１】
本発明は、内燃機関のブローバイガス処理装置に関する。
【背景技術】
【０００２】
自動車等の車両に搭載される内燃機関においては、運転中に燃焼室からシリンダ内壁とピストンリングとの間を介してクランクケースに燃料成分や排気成分を含んだガス（ブローバイガス）が漏れる。燃焼室からクランクケースにブローバイガスが漏れると、同ガス中のＮＯｘやＳＯｘといった排気成分と、内燃機関のクランクケース内のオイルに含まれるオレフィンと、同ケース内の液状の水分とが、熱や酸により反応してオイル中にスラッジが生成されることが知られている（特許文献１参照）。こうしたスラッジが内燃機関におけるオイルの流通経路上で生成されると、内燃機関での上記オイルによる潤滑に悪影響を及ぼすことになる。
【０００３】
また、内燃機関の運転中に燃焼室からクランクケース内にブローバイガスが漏れることを考慮して、例えば特許文献２、３に示されるように、上記ブローバイガスをクランクケースから吸気通路に戻して処理するブローバイガス処理装置を設けることも考えられる。この場合、燃焼室からクランクケースに漏れたブローバイガスが吸気通路に戻されるため、同ガス中の排気成分等に起因した内燃機関のオイル中でのスラッジ生成の抑制が図られるようになる。
【特許文献１】特開平２００８−１２１４７４公報（段落［０００２］）
【特許文献２】特開２００８−１５０９５６公報（段落［００１５］、及び図１）
【特許文献３】特開２００５−２４８９２７公報（段落［０００４］、［００１５］、及び図１）
【発明の開示】
【発明が解決しようとする課題】
【０００４】
ところで、内燃機関としては、排気エミッションの改善を意図して排気通路の排気の一部を吸気通路に戻すＥＧＲを実行可能なものも知られている。
こうしたＥＧＲを実行可能な内燃機関では、同ＥＧＲの実行時には、同機関における水蒸気を含んだ排気が吸気通路に戻されて再び燃焼室に吸入されるため、ＥＧＲの非実行時と比較して、燃焼室からクランクケースに漏れるブローバイガス中の単位体積当たりの水蒸気の量が多くなる。このため、ＥＧＲが実行される内燃機関においては、ＥＧＲの行われない内燃機関である想定のもとで燃焼室からクランクケース内に漏れたブローバイガスをブローバイガス処理装置により吸気通路に戻すようにしたとしても、同ケース内に存在する水分の量が多くなることは避けられない。
【０００５】
そして、ＥＧＲの実行時、同ＥＧＲの非実行時と比較してクランクケース内に存在する水分の量が多くなり、それに伴って同ケース内のガスの露点温度が高くなると、同ケース内で結露が生じやすくなる。このようにクランクケース内で結露が生じやすくなると、その結露を通じて上述した排気成分（ＮＯｘやＳＯｘ等）と水分（液体）とオレフィンとの熱や酸による反応が生じやすくなり、内燃機関のオイル中にスラッジが生成されやすくなる。そして、内燃機関のオイル中でスラッジが生成されやすくなり、同機関におけるオイルの流通経路でスラッジが生成されると、内燃機関での上記オイルによる潤滑に悪影響を及ぼすことは上述したとおりである。
【０００６】
本発明はこのような実情に鑑みてなされたものであって、その目的は、ＥＧＲの実行時に内燃機関のオイル中でスラッジが生成されやすくなることを抑制し、そのスラッジの生成が同機関での上記オイルによる潤滑に悪影響を及ぼすことを抑制できる内燃機関のブローバイガス処理装置を提供することにある。
【課題を解決するための手段】
【０００７】
以下、上記目的を達成するための手段及びその作用効果について記載する。
上記目的を達成するため、請求項１記載の発明では、排気の一部を吸気通路に戻すＥＧＲを実行可能な内燃機関に適用され、同機関の燃焼室からクランクケースに漏れたブローバイガスを吸気通路に戻すとともに、その吸気通路に戻されるブローバイガスのガス流量を機関運転状態に基づき制御する内燃機関のブローバイガス処理装置において、前記吸気通路に戻されるブローバイガスのガス流量を前記ＥＧＲの実行時には同ＥＧＲの非実行時に比べて多くする制御手段を備えた。
【０００８】
内燃機関においては、運転中に燃焼室からクランクケースにブローバイガスが漏れると、同ガス中の排気成分（ＮＯｘやＳＯｘ等）と、内燃機関のクランクケース内のオイルに含まれるオレフィンと、同ケース内の水分（液体）とが、熱や酸により反応してオイル中にスラッジが生成されるおそれがある。こうしたオイル中のスラッジに関しては、燃焼室からクランクケースに漏れたブローバイガスをブローバイガス処理装置により吸気通路に戻すことにより、生成の抑制が図られるようになる。
【０００９】
ただし、内燃機関でのＥＧＲの実行により、燃焼室からクランクケース内に漏れるブローバイガス中の単位体積当たりの水蒸気の量が多くなって同ケース内に存在する水蒸気の量が多くなると、クランクケース内のガスの露点温度が高くなって同ケース内で結露が発生しやすくなる。こうしたクランクケース内での結露を通じて、上述した排気成分（ＮＯｘやＳＯｘ等）と水分（液体）とオレフィンとの熱や酸による反応が生じやすくなり、内燃機関のオイル中にスラッジが生成されやすくなる。そして、内燃機関のオイル中にスラッジが生成されやすくなり、同機関におけるオイルの流通経路でスラッジが生成されると、それが同機関での上記オイルによる潤滑に悪影響を及ぼすこととなる。
【００１０】
上記構成によれば、ＥＧＲの実行時には同ＥＧＲの非実行時に比べてクランクケースから吸気通路に戻されるブローバイガスのガス流量が多くされ、水蒸気を多く含んだ同ブローバイガスが多く且つ速やかに吸気通路に戻されるようにしている。このため、ＥＧＲの実行に伴いクランクケース内のガスの露点温度が高くなって結露が生じることは抑制されるとともに、クランクケース内に存在する同ガス中の排気成分（ＮＯｘやＳＯｘ等）の量が低減される。従って、ＥＧＲの実行時に、内燃機関のオイルでスラッジが発生されやすくなり、同機関におけるオイルの流通経路でスラッジが生成され、それが同機関での上記オイルによる潤滑に悪影響を及ぼすことは抑制されるようになる。
【００１１】
請求項２記載の発明では、請求項１記載の発明において、前記内燃機関は、前記燃焼室から前記クランクケースに漏れたブローバイガスを前記吸気通路に戻すガス流出通路と、そのガス流出通路のガス流通面積を可変とすべく開閉動作するＰＣＶバルブとを備え、前記ＰＣＶバルブは、機関運転状態に応じて算出される開度指令値に基づき開度調整され、それによって前記ガス流出通路を介して前記吸気通路に戻されるブローバイガスのガス流量を制御するものであり、前記制御手段は、前記ＥＧＲの実行時には、前記開度指令値として同ＥＧＲの非実行時の値に対し開き側に補正した値を用いることを要旨とした。
【００１２】
上記構成によれば、ＥＧＲの実行時、開度指令値がＥＧＲの非実行時の値に対し開き側に補正された値とされ、その開き側への補正後の開度指令値に基づきＰＣＶバルブの開度が開き側に調整される。従って、クランクケースからガス流出通路を介して吸気通路に戻されるブローバイガスのガス流量を、ＥＧＲの実行時には同ＥＧＲの非実行時に比べて的確に多くすることができるようになる。
【００１３】
請求項３記載の発明では、請求項１又は２記載の発明において、前記制御手段は、前記ＥＧＲの実行時に前記吸気通路に戻される排気の量が多くなるに従って、前記ＥＧＲの実行に伴う前記クランクケースから前記吸気通路に戻されるブローバイガスのガス流量の増量分を徐々に多くすることを要旨とした。
【００１４】
ＥＧＲの実行時において内燃機関のオイルの流通経路でのスラッジ生成を抑制する観点では、クランクケースから吸気通路に戻されるブローバイガスのガス流量を可能な限り多くすることが好ましい。しかし、吸気通路に戻されるブローバイガスのガス流量を多くし過ぎると、同ブローバイガスによるクランクケースから吸気通路へのオイルの持ち去りも多くなり、同オイルによる吸気通路でのデポジットの付着も無視できない問題となる。
【００１５】
上記構成によれば、ＥＧＲの実行時に吸気通路に戻されるブローバイガスのガス流量を多くする際、同ＥＧＲの実行により吸気通路に戻される排気の量が多くなるほど、ＥＧＲの実行に伴う上記ブローバイガスのガス流量の増量分が徐々に多くなるようにされる。このようにＥＧＲ実行時に上記ガス流量を多くすることで、ＥＧＲの実行に伴い内燃機関のオイルでスラッジが生成されやすくなるという現象を的確に抑制しつつ、上記ガス流量の増量を可能な限り小さく抑えて吸気通路へのオイルの持ち去りを少なくし、そのオイルによる吸気通路でのデポジットの付着を抑えることができるようになる。
【００１６】
請求項４記載の発明では、請求項１〜３のいずれか一項に記載の発明において、前記ＥＧＲは、内燃機関の冷却水温と吸気温との少なくとも一方がそれぞれ設定された許可温度未満であるときには実行禁止されるものであり、前記制御手段は、前記冷却水温が前記許可温度未満である条件のもとでは、前記冷却水温が低温判定値未満であるときに前記吸気通路に戻されるブローバイガスのガス流量を大とし、前記冷却水温が前記低温判定値以上であるときに前記ガス流量を小とするものであることを要旨とした。
【００１７】
内燃機関の冷却水温が低いときには、燃焼室からクランクケースに漏れるブローバイガスに起因して、同機関のオイルでスラッジが生成されやすくなると推定される。上記構成によれば、冷却水温が許可温度よりも低い上記低温判定値未満であるときには、吸気通路に戻されるブローバイガスのガス流量が大とされる。これにより、燃焼室からクランクケース内に漏れたブローバイガスが速やかに吸気通路に送られて処理されるため、内燃機関のオイルでのスラッジの生成が的確に抑制される。一方、冷却水温が許可温度未満である条件のもと同冷却水温が低温判定値以上であるときには、吸気通路に戻されるブローバイガスのガス流量が小とされるため、同ガスによるクランクケースから吸気通路へのオイルの持ち去りが抑制され、そのオイルによる同通路でのデポジット付着が抑制されるようになる。
【００１８】
請求項５記載の発明では、請求項１〜４のいずれか一項に記載の発明において、前記ＥＧＲは、内燃機関の冷却水温と吸気温との少なくとも一方がそれぞれ設定された許可温度未満であるときには実行禁止されるものであり、前記制御手段は、前記冷却水温が許可温度以上になってから内燃機関の暖機が完了するまでの期間中において、前記燃焼室から前記クランクケース内に漏れたブローバイガスの同ケース内での雰囲気温度が低いときには、高いときに比べて前記吸気通路に戻されるブローバイガスのガス流量を多くすることを要旨とした。
【００１９】
冷却水温が許可温度以上になってから内燃機関の暖機が完了するまでの期間中において、クランクケース内のガスの露点温度に関しては、燃焼室からブローバイガスがクランクケース内に漏れたときの同ケース内での同ガスの雰囲気温度によっても変わり、そのときの雰囲気温度が低いほど低い値になる。このため、上記雰囲気温度が低いほど内燃機関のオイルでスラッジが生成されやすくなる傾向がある。上記構成によれば、上記期間中において、燃焼室からクランクケース内に漏れたブローバイガスの同ケース内での雰囲気温度が低いときには、高いときに比べて吸気通路に戻されるブローバイガスのガス流量が多くされ、燃焼室からクランクケースに漏れたブローバイガスが多く且つ速やかに吸気通路に戻される。これにより、内燃機関におけるオイルの流通経路でスラッジが生成されやすくなることは、的確に抑制されるようになる。
【００２０】
請求項６記載の発明では、請求項５記載の発明において、前記制御手段は、前記冷却水温が許可温度以上になってから内燃機関の暖機が完了するまでの期間中において、前記雰囲気温度が高くなるほど前記吸気通路に戻されるブローバイガスのガス流量を徐々に少なくすることを要旨とした。
【００２１】
冷却水温が許可温度以上になってから内燃機関の暖機が完了するまでの期間中において、燃焼室からブローバイガスがクランクケース内に漏れたときの同ケース内での同ガスの雰囲気温度が低いときには、内燃機関のオイルでスラッジが生成されやすくなる。このため、同スラッジが生成されやすくなるという現象を抑制すべく、吸気通路に戻されるブローバイガスのガス流量が多くされる。ただし、吸気通路に戻されるブローバイガスのガス流量を多くし過ぎると、同ブローバイガスによるクランクケースから吸気通路へのオイルの持ち去りも多くなり、同オイルによる吸気通路でのデポジットの付着も無視できない問題となる。
【００２２】
上記構成によれば、こうした実情をふまえて、上記期間中に吸気通路に戻されるブローバイガスのガス流量に関しては上記雰囲気温度が低いときには多くされ、その雰囲気温度が高くなるほど徐々に少なくされるため、上記ガス流量をスラッジ生成の抑制とデポジット付着の抑制との両立を図るうえで最適な値とすることが可能となる。従って、上記期間中に吸気通路に戻されるブローバイガスのガス流量の増量を上述したように行うことで、内燃機関のオイルでスラッジが生成されやすくなるという現象を的確に抑制しつつ、吸気通路での上記デポジットの付着も的確に抑えることができるようになる。
【００２３】
請求項７記載の発明では、請求項５又は６記載の内燃機関のブローバイガス処理装置において、内燃機関の冷却水温を検出する水温センサを更に備え、前記制御手段は、前記水温センサによって検出される冷却水温を前記雰囲気温度に対応する値として用いることを要旨とした。
【００２４】
上記構成によれば、ＥＧＲが実行許可されてから内燃機関の暖機が完了するまでの期間中において、燃焼室からクランクケース内に漏れたブローバイガスの同ケース内での雰囲気温度に基づき、的確に吸気通路に戻されるブローバイガスのガス流量を調整することができる。これは、上記雰囲気温度は内燃機関の冷却水温と対応して変化するものであり、その冷却水温を上記雰囲気温度に対応する値として用いて上記ガス流量の調整が行われるためである。
【発明を実施するための最良の形態】
【００２５】
以下、本発明を自動車用エンジンに適用した一実施形態について、図１〜図５を参照して説明する。
図１に示されるエンジン１においては、各気筒の燃焼室２に吸気通路３及び排気通路４が接続されている。そして、エンジン１の吸入空気量を調整するためのスロットルバルブ１１が設けられた吸気通路３を介して燃焼室２に空気が吸入されるとともに、燃料噴射弁５から吸気通路３内に燃料が噴射供給されることにより、燃焼室２内に空気と燃料とからなる混合気が充填される。この混合気が各気筒の点火プラグ６による点火に基づき燃焼すると、そのときの燃焼エネルギによってピストン７が往復移動し、エンジン１の出力軸であるクランクシャフト８が回転する。また、燃焼後の混合気は排気として排気通路４に送り出される。
【００２６】
エンジン１には、排気に含まれる窒素酸化物（ＮＯｘ）の量を低減させる等の意図のもと排気通路４内の排気の一部を吸気通路３に戻すＥＧＲを実行するためのＥＧＲ機構が設けられている。
【００２７】
このＥＧＲ機構は、排気通路４と吸気通路３におけるスロットルバルブ１１の下流側の部分とを繋ぐように設けられたＥＧＲ通路１８と、そのＥＧＲ通路１８のガス流通面積を可変とすべく開度調整されて同通路１８を介して排気通路４から吸気通路３に戻される排気の量を調整するＥＧＲバルブ１７とを備えている。そして、ＥＧＲ機構によりエンジン１の排気の一部を吸気通路３に還流させることで、燃焼室２内での混合気の燃焼時に同燃焼室２内に燃焼に寄与しないガス（排気）が存在するようになる。その結果、燃焼室２内での混合気の燃焼温度が低下してＮＯｘの生成が低減され、エンジン１の排気に含まれるＮＯｘの量が低減される。
【００２８】
また、エンジン１においては、圧縮行程や膨張行程で燃焼室２に存在するガスの一部がブローバイガスとしてピストンリング７ａとシリンダ内壁９との間からクランクケース１０内に漏れる。このため、エンジン１には、燃焼室２から漏れたブローバイガスを吸気通路３に戻して処理するブローバイガス処理装置が設けられている。
【００２９】
同装置は、吸気通路３におけるスロットルバルブ１１の上流側の部分に接続されてクランクケース１０内に新気を導入する新気導入通路１２と、クランクケース１０内のブローバイガスを吸気通路３に戻すべく同通路３におけるスロットルバルブ１１の下流側の部分に接続されたガス流出通路１３とを備えている。また、ガス流出通路１３にはブローバイガスを吸気通路３に戻す際のガス流量を調整するＰＣＶバルブ１４が設けられている。このＰＣＶバルブ１４は、ステップモータ等により開度調整される電動式のものであって、その開度調整を通じてガス流出通路１３から吸気通路３に流れるガスの流量を制御するものである。そして、同装置においては、新気導入通路１２からクランクケース１０内への新気導入により、燃焼室２からクランクケース１０内に漏れたブローバイガスがガス流出通路１３を介して吸気通路３に戻されるようになる。なお、ガス流出通路１３から吸気通路３に流れるブローバイガスのガスの流量に関しては、ＰＣＶバルブ１４の開度一定の条件下ではガス流出通路１３におけるＰＣＶバルブ１４よりも上流側の圧力と下流側の圧力との差圧が大きくなるほど多くなり、同差圧一定の条件下ではＰＣＶバルブ１４の開度が開き側の値になるほど多くなる。
【００３０】
次に、上記ブローバイガス処理装置の電気的構成について説明する。
ブローバイガス処理装置は、自動車に搭載されてエンジン１等に関する各種制御を実行する電子制御装置１９を備えている。この電子制御装置１９は、上記制御に係る各種演算処理を実行するＣＰＵ、その制御に必要なプログラムやデータの記憶されたＲＯＭ、ＣＰＵの演算結果等が一時記憶されるＲＡＭ、外部との間で信号を入・出力するための入・出力ポート等を備えて構成されている。
【００３１】
電子制御装置１９の入力ポートには、以下に示す各種センサ等が接続されている。
・自動車の運転者によって踏込操作されるアクセルペダル２０の踏み込み量（アクセル踏込量）を検出するアクセルポジションセンサ２１。
【００３２】
・エンジン１の吸気通路３に設けられたスロットルバルブ１１の開度（スロットル開度）を検出するスロットルポジションセンサ２２。
・吸気通路３を通過して燃焼室２に吸入される空気の量を検出するエアフロメータ２３。
【００３３】
・クランクシャフト８の回転に対応した信号を出力するクランクポジションセンサ２４。
・エンジン１の冷却水温を検出する水温センサ２５。
【００３４】
・吸気通路３を通過して燃焼室２に吸入される空気の温度を検出する吸気温センサ２６。
また、電子制御装置１９の出力ポートには、燃料噴射弁５、点火プラグ６、スロットルバルブ１１、ＰＣＶバルブ１４、及びＥＧＲバルブ１７といった各種機器の駆動回路が接続されている。
【００３５】
電子制御装置１９は、上記各センサから入力された検出信号より把握されるエンジン運転状態に応じて、上記出力ポートに接続された各機器類の駆動回路に指令信号を出力する。こうして点火プラグ６の点火時期制御、スロットルバルブ１１の開度制御、燃料噴射弁５による燃料噴射の制御、ＰＣＶバルブ１４の開度制御、ＥＧＲバルブ１７の開度調節に基づくＥＧＲ制御等の各種制御が電子制御装置１９により実施されている。
【００３６】
ここで、上記ＥＧＲ制御の概要、及び上記ＰＣＶバルブ１４の開度制御の概要について、それぞれ以下で個別に説明する。
［ＥＧＲ制御］
ＥＧＲ制御に関しては、エンジン１の冷却水温と吸気温との少なくとも一方がそれぞれ設定された許可温度未満であるときには実行禁止され、同冷却水温と同吸気温との両方がそれぞれ設定された許可温度以上であるときには実行許可される。なお、ここで用いられる冷却水温の許可温度としては例えば７０℃という値が用いられ、吸気温の許可温度としては例えば５℃という値が用いられる。ＥＧＲ制御では、エンジン１の排気エミッション改善を目的として、エンジン１のＥＧＲ率（ＥＧＲにより吸気通路３に戻される排気の量とエンジン１の吸入空気量との比）の調整が行われる。具体的には、エンジン運転状態に基づき目標ＥＧＲ率が算出されるとともに、その目標ＥＧＲ率に基づきＥＧＲバルブ１７の目標開度が算出され、同目標開度に基づきＥＧＲバルブ１７の開度が調整される。これによりエンジン１のＥＧＲ率が同エンジン１の排気エミッション改善を図るうえで最適な値に調整される。
【００３７】
［ＰＣＶバルブ１４の開度制御］
ＰＣＶバルブ１４の開度制御は、クランクケース１０からガス流出通路１３を介して吸気通路３に戻されるブローバイガスのガス流量を制御することを目的として、電子制御装置１９により求められる開度指令値である指令ステップ数Ｒに基づき行われる。
【００３８】
具体的には、エンジン回転速度及びエンジン負荷といったエンジン運転状態に基づき図２のマップを参照して指令ステップ数Ｒが算出され、その指令ステップ数Ｒに基づきＰＣＶバルブ１４が開閉動作される。なお、上記指令ステップ数Ｒの算出に用いられるエンジン回転速度は、クランクポジションセンサ２４からの検出信号に基づき求められる。また、上記エンジン負荷は、エンジン１の吸入空気量に対応するパラメータと上記エンジン回転速度とから算出される。ここで用いられる吸入空気量に対応するパラメータとしては、例えば、エアフロメータ２３からの検出信号に基づき求められるエンジン１の吸入空気量の実測値や、スロットルポジションセンサ２２によって検出されるスロットル開度等が用いられる。
【００３９】
上記のように開度制御されるＰＣＶバルブ１４に関しては、指令ステップ数Ｒが「０」のときに全閉とされ、同指令ステップ数Ｒが「０」から多くなるほど開き側の開度に調整される。こうしたＰＣＶバルブ１４の開度制御を通じて、クランクケース１０内からガス流出通路１３を介して吸気通路３に流れるブローバイガスのガス流量が制御されることとなる。より詳しくは、エンジン負荷及びエンジン回転速度の変化に応じて変化するエンジン１の吸気圧、すなわち吸気通路３のスロットルバルブ１１よりも下流側の圧力の変化に対し、上記ガス流量が例えば図３に示されるごとく変化するようにされる。
【００４０】
上記ブローバイガスのガス流量に関しては、少なすぎるとクランクケース１０内のオイルに対し燃焼室２から漏れたブローバイガス中の排気成分や未燃燃料成分が混入して同オイルが劣化しやすくなり、多すぎると吸気通路３に戻されるブローバイガスによって同通路３に持ち去られるオイルの量が多くなって同通路３でのデポジットの付着を招く。従って、上記ブローバイガスのガス流量の制御に用いられる指令ステップ数Ｒに関しては、そのガス流量が上述したオイルの劣化とデポジットの付着といった二つの点をふまえた最適な値となるよう、エンジン回転速度及びエンジン負荷に基づき算出することが考えられる。
【００４１】
ところで、エンジン１でのＥＧＲの実行中には、燃焼室２からクランクケース１０内に漏れるブローバイガス中の単位体積当たりの水蒸気の量が多くなる。このため、ＥＧＲが実行されるエンジン１においては、ＥＧＲの行われないエンジン１である想定のもとでブローバイガス処理装置により吸気通路３に上記ブローバイガスを戻すようにしても、クランクケース１０内に存在する水蒸気の量が多くなることは避けられない。そして、このようにクランクケース１０内に存在する水蒸気の量が多くなると、クランクケース１０内のガスの露点温度が高くなり、同ケース１０内で結露が発生しやすくなる。こうしたクランクケース１０内での結露を通じて、［発明が解決しようとする課題］の欄に記載したようにエンジン１のオイル中にスラッジが生成されやすくなり、同エンジン１におけるオイルの流通経路でスラッジが生成されると、それがエンジン１の上記オイルによる潤滑に悪影響を及ぼすこととなる。
【００４２】
こうした不具合に対処するため、本実施形態では、クランクケース１０から吸気通路３に戻されるブローバイガスのガス流量を、ＥＧＲの実行時には同ＥＧＲの非実行時に比べて多くする。
【００４３】
ここで、ＥＧＲの実行時には、同ＥＧＲの非実行時に比べて、燃焼室２からクランクケース１０に漏れるブローバイガス中における単位堆積当たりの水蒸気の量が多くなるものの、この水蒸気を多く含んだブローバイガスは上記ガス流量の制御を通じて多く且つ速やかに吸気通路３に戻されるようになる。その結果、ＥＧＲ実行時にクランクケース１０内に存在する水蒸気の量を少なくし、同ケース１０内での結露を的確に抑制、例えばＥＧＲの非実行時と同等のレベルまで抑制することができる。更に、上記ガス流量の制御を通じてクランクケース１０内のブローバイガスが多く且つ速やかに吸気通路３に戻されることで、クランクケース１０内に存在する排気成分（ＮＯｘやＳＯｘ等）の量が低減されるようにもなる。
【００４４】
以上により、ＥＧＲの実行時に、エンジン１のオイル中でスラッジが生成されやすくなることは抑制され、そのスラッジの生成によって同エンジン１での上記オイルによる潤滑に悪影響が及ぶことは抑制されるようになる。
【００４５】
次に、吸気通路３に戻されるブローバイガスのガス流量の制御を目的とした本実施形態のＰＣＶバルブの開度制御の詳細について、ＰＣＶバルブ制御ルーチンを示す図４のフローチャートを参照して説明する。このＰＣＶバルブ制御ルーチンは、電子制御装置１９を通じて、例えば所定時間毎の時間割り込みにて周期的に実行される。
【００４６】
同ルーチンにおいては、まずエンジン１の冷却水温がＥＧＲの実行許可又は実行禁止に用いられる上記許可温度（この例では７０℃）以上であるか否かの判断（Ｓ１０１）、及びエンジン１の吸気温がＥＧＲの実行許可又は実行禁止に用いられる上記許可温度（この例では５℃）以上であるか否かの判断（Ｓ１０２）が行われる。ステップＳ１０１で否定判定であって冷却水温が許可温度未満である場合には、ＥＧＲの実行が禁止されていることになり、こような場合におけるＰＣＶバルブ１４の開度制御、言い換えれば吸気通路３に戻されるブローバイガスのガス流量の制御が行われる。こうした制御は、ステップＳ１０３〜Ｓ１０５の処理、及びステップＳ１１３の処理を通じて実現される。
【００４７】
この一連の処理として、具体的には、まず冷却水温が許可温度（この例では７０℃）よりも低い値である低温判定値未満であるか否かが判断される（Ｓ１０３）。そして、冷却水温が低温判定値未満であれば指令ステップ数Ｒがその可変範囲における大きい側の値（第１の固定値）に固定され（Ｓ１０４）、冷却水温が低温判定値以上であれば指令ステップ数Ｒがその可変範囲における小さい側の値（第２の固定値）に固定される（Ｓ１０５）。その後、上記のように固定された指令ステップ数Ｒに基づきＰＣＶバルブ１４の開度が調整される（Ｓ１１３）。
【００４８】
エンジン１の冷却水温が低温判定値未満となるような低い値であるときには、燃焼室２からクランクケース１０に漏れるブローバイガスに起因してエンジン１のオイルでスラッジが生成されやすくなることを抑制すべく、指令ステップ数Ｒが上述した第１の固定値に固定される。これにより、吸気通路３に戻されるブローバイガスのガス流量が大とされ、燃焼室２からクランクケース１０内に漏れたブローバイガスが速やかに吸気通路３に送られて処理されるため、エンジン１のオイルでのスラッジの生成が抑制される。なお、上記第１の固定値に関しては、予め実験等により定められた最適値が用いられる。
【００４９】
また、冷却水温が許可温度未満（Ｓ１０１：ＮＯ）であり、且つ低温判定値以上であるときには、燃焼室２からクランクケース１０に漏れるブローバイガスに起因してエンジン１のオイルでスラッジが生成されにくいと推定される。こうした状況のもとで吸気通路３に戻されるブローバイガスの量が多くされると、クランクケース１０から吸気通路３へと持ち去られるオイルの量が多くなるおそれがある。このような吸気通路３へのオイルの持ち去りを抑制すべく、冷却水温が低温判定値以上のときには指令ステップ数Ｒが上述した第２の固定値に固定され、吸気通路３に戻されるブローバイガスのガス流量が小とされる。これにより、同ガスによるクランクケース１０から吸気通路３へのオイルの持ち去りが抑制され、そのオイルによる同通路３でのデポジット付着が抑制されるようになる。なお、上記第２の固定値としては、予め実験等により定められた最適値が用いられる。
【００５０】
ステップＳ１０１とステップＳ１０２とで共に肯定判定であれば、すなわちエンジン１の冷却水温と吸気温との両方がそれぞれ設定された許可温度以上であれば、ＥＧＲの実行が許可されることとなる（Ｓ１０６）。なお、このようにＥＧＲの実行が許可された条件下においては、同ＥＧＲの実行条件の不成立時にはＥＧＲは実行されず、上記実行条件の成立時には同ＥＧＲが実行されることとなる。一方、ステップＳ１０１で肯定判定であってもステップＳ１０２で否定判定であれば、ＥＧＲの実行が許可されずに同実行が禁止された状態となる。
【００５１】
冷却水温が許可温度以上である条件下（Ｓ１０１：ＹＥＳ）において、エンジン１の暖機が未完である場合には（Ｓ１０７：ＹＥＳ）、冷却水温に基づき指令ステップ数Ｒが算出される（Ｓ１０８）。ここで、上記冷却水温は、燃焼室２からクランクケース１０内に漏れたブローバイガスの同ケース１０内での雰囲気温度に対応する値として用いられる。そして、冷却水温が高いときには低いときに比べて、指令ステップ数Ｒが小さい値（ＰＣＶバルブ１４を閉じる側の値）となるよう算出される。より詳しくは、冷却水温が高くなるほど指令ステップ数Ｒが徐々に小さくなるように算出される。上記のように算出された指令ステップ数Ｒに基づきＰＣＶバルブ１４の開度が調整されると、冷却水温（上記雰囲気温度に対応）が高くなるほど吸気通路３に戻されるブローバイガスのガス流量が徐々に少なくされる。このため、冷却水温が高いときには低いときに比べて上記ガス流量が少なくなる。
【００５２】
冷却水温が許可温度以上になってからエンジン１の暖機が完了するまでの期間中、クランクケース１０内のガスの露点温度に関しては、燃焼室２からブローバイガスがクランクケース１０内に漏れたときの同ケース１０内での同ガスの雰囲気温度によっても変わり、そのときの雰囲気温度が低いほど低い値になる。このため、上記雰囲気温度に対応する値となるエンジン１の冷却水温が低いほど、クランクケース１０内の水分の量が多くなって同エンジン１のオイルでスラッジが生成されやすくなる傾向がある。しかし、上述したように算出される指令ステップ数Ｒに基づきＰＣＶバルブ１４の開度を調整することにより、冷却水温が低いときには、高いときに比べて吸気通路３に戻されるブローバイガスのガス流量が多くされ、燃焼室２からクランクケース１０に漏れたブローバイガスが多く且つ速やかに吸気通路３に戻される。これにより、エンジン１におけるオイルの流通経路でスラッジが生成されやすくなるということを的確に抑制できるようになる。
【００５３】
一方、冷却水温が許可温度以上である条件下（Ｓ１０１：ＹＥＳ）において、エンジン１の暖機が完了している場合には（Ｓ１０７：ＮＯ）、エンジン負荷及びエンジン回転速度に基づき図３のマップを参照して指令ステップ数Ｒの算出が行われる（Ｓ１０９）。このように算出される指令ステップ数Ｒに基づきＰＣＶバルブ１４の開度を調整することで、吸気通路３に戻されるブローバイガスのガス流量が、クランクケース１０内でのブローバイガスによるオイルの劣化と、そのオイルの吸気通路３への持ち去りに起因した同通路３でのデポジットの付着といった二つの点をふまえた値に制御されることとなる。
【００５４】
図４のステップＳ１０８とステップＳ１０９とのいずれかの処理で指令ステップ数Ｒの算出が行われた後には、ＥＧＲの実行の有無に応じて指令ステップ数Ｒを補正するための処理（Ｓ１１０〜Ｓ１１２）が行われる。
【００５５】
この一連の処理では、まずＥＧＲが実行されているか否かが判断される（Ｓ１１０）。ここで否定判定であれば、ステップＳ１０８とステップＳ１０９とのいずれかの処理で算出された指令ステップ数Ｒをそのまま用いてＰＣＶバルブ１４の開度調整が行われる（Ｓ１１３）。従って、ＥＧＲの非実行時には、補正の行われていない指令ステップ数Ｒに基づきＰＣＶバルブ１４の開度が調整され、そのＰＣＶバルブ１４の開度調整を通じて吸気通路３に戻されるブローバイガスのガス流量が制御される。
【００５６】
一方、ステップＳ１１０で肯定判定であれば、目標ＥＧＲ率に基づき、指令ステップ数Ｒを増加側（ＰＣＶバルブ１４を開く側）に補正するための補正値Ｈが算出される（Ｓ１１１）。具体的には、目標ＥＧＲ率が大きくなるほど上記補正値Ｈが徐々に大きくなるよう算出される。従って、ＥＧＲの実行時にＥＧＲ機構を介して吸気通路３に戻される排気の量が多くなるに従って、上記補正値Ｈが徐々に大きい値となるよう同補正値Ｈが算出されることとなる。
【００５７】
その後、ステップＳ１０８とステップＳ１０９とのいずれかの処理で算出された指令ステップ数Ｒに対し、上記補正値Ｈ分の増加側（ＰＣＶバルブ１４を開く側）への補正が加えられる（Ｓ１１２）。そして、上記補正値Ｈ分の増加側への補正が加えられた後の指令ステップ数Ｒに基づきＰＣＶバルブ１４の開度が調整され（Ｓ１１３）、そのＰＣＶバルブ１４の開度調整を通じて吸気通路３に戻されるブローバイガスのガス流量が制御される。
【００５８】
従って、ＥＧＲの実行時には、同ＥＧＲの非実行時に比べて、吸気通路３に戻されるブローバイガスのガス流量が多くされるようになる。これにより、ＥＧＲの実行時にエンジン１のオイル中でスラッジが生成されやすくなることは抑制され、そのスラッジの生成によって同エンジン１での上記オイルによる潤滑に悪影響が及ぶことは抑制される。
【００５９】
また、ＥＧＲの実行時における上記ガス流量に関しては、目標ＥＧＲ率の増大に伴い上記補正値Ｈが徐々に大きくされることから、ＥＧＲ機構を通じて吸気通路３に戻される排気の量が多くなるに従って徐々に多くされる。このように、ＥＧＲ実行時に上記ガス流量を多くすることで、ＥＧＲの実行に伴いエンジン１のオイルでスラッジが生成されやすくなるという現象を的確に抑制しつつ、上記ガス流量の増量を可能な限り小さく抑えて吸気通路３へのオイルの持ち去りを少なくし、そのオイルによる吸気通路３でのデポジットの付着を抑えることができるようになる。
【００６０】
最後に、吸気通路３に戻されるブローバイガスのガス流量の制御について、冷えた状態にあるエンジン１の始動開始後に同エンジン１の冷却水温が徐々に上昇してゆく状況を例に、図５を参照して総括する。なお、図５は、エンジン１の冷却水温の上昇に伴う指令ステップ数Ｒの変化を示すグラフである。
【００６１】
冷えた状態にあるエンジン１の始動開始後、冷却水温が低温判定値未満であるとき、すなわち燃焼室２からクランクケース１０に漏れるブローバイガスに起因してエンジン１のオイルでスラッジが生成されやすくなる状況下では、指令ステップ数Ｒが第１の固定値に固定され、吸気通路３に戻されるブローバイガスのガス流量が大とされる。これにより、燃焼室２からクランクケース１０内に漏れたブローバイガス中の排気成分に含まれる上記物質が同ケース１０内のオイルに溶け込むことなく吸気通路３に送られて処理され、エンジン１のオイルでのスラッジの生成が抑制されるようになる。
【００６２】
エンジン１の始動開始後の運転に伴い冷却水温が低温判定値以上に上昇すると、燃焼室２からクランクケース１０に漏れるブローバイガスに起因してエンジン１のオイルでスラッジが生成されやすくなるという状況を脱することになる。こうした状況のもとで吸気通路３に戻されるブローバイガスの量が多くなっていると、クランクケース１０から吸気通路３へと持ち去られるオイルの量が多くなるおそれがある。このため、エンジン１の冷却水温が低温判定値以上に上昇したときには、同冷却水温が許可温度未満であることを条件に、指令ステップ数Ｒが上記第１の固定値よりも小さい値である第２の固定値に固定され、吸気通路３に戻されるブローバイガスのガス流量が小とされる。これにより、同ガスによるクランクケース１０から吸気通路３へのオイルの持ち去りが抑制され、そのオイルによる同通路３でのデポジット付着が抑制されるようになる。
【００６３】
エンジン１の冷却水温が許可温度未満であるときにはＥＧＲの実行が禁止されており、エンジン１の運転に伴い冷却水温が許可温度以上（この例では７０℃以上）に上昇すると、吸気温が許可温度（この例では５℃）以上であることを条件にＥＧＲの実行が許可されることとなる。そして、ＥＧＲの実行時には指令ステップ数Ｒの補正値Ｈによる増大側への補正が行われる。なお、こうした補正値Ｈによる指令ステップ数Ｒの増大側への補正はＥＧＲの非実行時には行われない。従って、図５の冷却水温が許可温度以上の領域においては、ＥＧＲの非実行時に指令ステップ数Ｒが例えば二点鎖線で示される値になるとすると、ＥＧＲの実行時には指令ステップ数Ｒが実線で示されるように補正値Ｈ分だけ大きくされるようになる。その結果、ＥＧＲの実行時には、同ＥＧＲの非実行時に比べて、吸気通路３に戻されるブローバイガスのガス流量が多くされる。これにより、ＥＧＲの実行時にエンジン１のオイル中でスラッジが生成されやすくなることは抑制され、そのスラッジの生成によって同エンジン１での上記オイルによる潤滑に悪影響が及ぶことは抑制される。
【００６４】
また、上記補正値Ｈに関しては目標ＥＧＲ率の増大に伴い徐々に大きくされるため、ＥＧＲの実行時に吸気通路３に戻されるブローバイガスのガス流量は、ＥＧＲ機構を通じて吸気通路３に戻される排気の量が多くなるに従って徐々に多くされる。このように、ＥＧＲ実行時に上記ガス流量を多くすることで、ＥＧＲの実行に伴いエンジン１のオイルでスラッジが生成されやすくなるという現象を的確に抑制しつつ、上記ガス流量の増量を可能な限り小さく抑えて吸気通路３へのオイルの持ち去りを少なくし、そのオイルによる吸気通路３でのデポジットの付着を抑えることができるようになる。
【００６５】
エンジン１の冷却水温が許可温度以上になってから暖機完了温度（例えば８０℃）になるまでの期間中は、冷却水温に基づき同冷却水温が高くなるほど、指令ステップ数Ｒが徐々に小さくなるよう算出され、吸気通路３に戻されるブローバイガスのガス流量が徐々に少なくされる。ここで、上記期間中におけるクランクケース１０内のガスの露点温度に関しては、燃焼室２からブローバイガスがクランクケース１０内に漏れたときの同ケース１０内での同ガスの雰囲気温度（冷却水温と対応）によっても変わり、そのときの雰囲気温度が低いほど低い値になる。しかし、上述したように冷却水温が低いときほど上記ガス流量を多くすることで、燃焼室２からクランクケース１０に漏れたブローバイガスが多く且つ速やかに吸気通路３に戻されるようになり、エンジン１におけるオイルの流通経路でスラッジが生成されやすくなることは的確に抑制される。
【００６６】
以上詳述した本実施形態によれば、以下に示す効果が得られるようになる。
（１）ＥＧＲの実行時には、同ＥＧＲの非実行時に比べて、吸気通路３に戻されるブローバイガスのガス流量が多くされる。これにより、ＥＧＲの実行に伴いエンジン１のオイル中でスラッジが生成されやすくなることは抑制され、そのスラッジの生成によって同エンジン１での上記オイルによる潤滑に悪影響が及ぶことは抑制されるようになる。
【００６７】
（２）吸気通路３に戻されるブローバイガスのガス流量は、指令ステップ数Ｒに基づくＰＣＶバルブ１４の開度調整を通じて制御される。そして、ＥＧＲの実行時には上記指令ステップ数Ｒに対し補正値Ｈ分の増加側への補正が加えられるのに対し、ＥＧＲの非実行時には上記指令ステップ数Ｒに対し補正値Ｈ分の補正が加えられることはない。従って、吸気通路３に戻されるブローバイガスのガス流量、ＥＧＲの実行時には同ＥＧＲの非実行時に比べて的確に多くすることができる。
【００６８】
（３）ＥＧＲの実行時においてエンジン１のオイルの流通経路でのスラッジ生成を抑制する観点では、クランクケース１０から吸気通路３に戻されるブローバイガスのガス流量を可能な限り多くすることが好ましい。しかし、吸気通路３に戻されるブローバイガスのガス流量を多くし過ぎると、同ブローバイガスによるクランクケース１０から吸気通路３へのオイルの持ち去りも多くなり、同オイルによる吸気通路３でのデポジットの付着も無視できない問題となる。
【００６９】
こうしたことを考慮して、ＥＧＲの実行時に吸気通路３に戻されるブローバイガスのガス流量に関しては、ＥＧＲ機構を通じて吸気通路３に戻される排気の量が多くなるに従って徐々に多くされる。具体的には、ＥＧＲの実行時に指令ステップ数Ｒを補正するための上記補正値Ｈを目標ＥＧＲ率が大きくなるほど徐々に大きくなるよう算出し、それによって上記ガス流量の制御が行われるようにする。これにより、ＥＧＲの実行に伴いエンジン１のオイルでスラッジが生成されやすくなるという現象を的確に抑制しつつ、上記ガス流量の増量を可能な限り小さく抑えて吸気通路３へのオイルの持ち去りを少なくし、そのオイルによる吸気通路３でのデポジットの付着を抑えることができる。
【００７０】
（４）エンジン１の冷却水温が許可温度未満である条件下であって、同冷却水温が低温判定値未満となるような低い値であるときには、指令ステップ数Ｒがその可変範囲における大きい側の値（第１の固定値）に固定され、吸気通路３に戻されるブローバイガスのガス流量が大とされる。これにより、燃焼室２からクランクケース１０に漏れるブローバイガスに起因してエンジン１のオイルでスラッジが生成されやすくなる状況下において、燃焼室２からクランクケース１０内に漏れた上記ブローバイガスが速やかに吸気通路３に送られて処理され、エンジン１のオイルでのスラッジの生成が抑制されるようになる。一方、エンジン１の冷却水温が許可温度未満である条件下であって、同冷却水温が低温判定値以上に上昇すると、指令ステップ数Ｒがその可変範囲における小さい側の値（第２の固定値）に固定され、吸気通路３に戻されるブローバイガスのガス流量が小とされる。これにより、同ガスによるクランクケース１０から吸気通路３へのオイルの持ち去りが抑制され、そのオイルによる同通路３でのデポジット付着が抑制されるようになる。
【００７１】
（５）エンジン１の冷却水温が許可温度以上になってから暖機完了温度（例えば８０℃）になるまでの期間中、冷却水温が低いときには高いときに比べて吸気通路３に戻されるブローバイガスのガス流量が多くされる。ここで、上記冷却水温は燃焼室２からブローバイガスがクランクケース１０内に漏れたときの同ケース１０内での同ガスの雰囲気温度に対応した値となり、その雰囲気温度（冷却水温と対応）が低いほどクランクケース１０内の露点温度が低い値になる。このようにクランクケース１０内のガスの露点温度が低くなって同ケース１０内で結露が発生しやすくなると、その結露によってエンジン１のオイル中にスラッジが生成されやすくなる。しかし、上述したように冷却水温が低いときに上記ガス流量を多くすることで、燃焼室２からクランクケース１０に漏れたブローバイガスが多く且つ速やかに吸気通路３に戻されるようになり、エンジン１のオイルでスラッジが生成されやすくなることは的確に抑制される。
【００７２】
（６）エンジン１の冷却水温が許可温度以上になってから暖機完了温度（例えば８０℃）になるまでの期間中、冷却水温が低いときには吸気通路３に戻されるブローバイガスのガス流量が多くされ、同冷却水温が高くなるほど上記ガス流量が徐々に少なくされる。上記期間中であって、燃焼室２からブローバイガスがクランクケース１０内に漏れたときの同ケース１０内での同ガスの雰囲気温度（冷却水温に対応）が低いときには、クランクケース１０内の露点温度が低い値になって同ケース１０内で結露が発生しやすくなり、エンジン１のオイル中にスラッジが生成されやすくなる。このようにオイル中でスラッジが生成されやすくなることは、吸気通路に戻されるブローバイガスのガス流量を多くすることで抑制される。ただし、上記ガス流量を多くし過ぎるとブローバイガスによるクランクケース１０から吸気通路３へのオイルの持ち去りも多くなり、同オイルによる吸気通路３でのデポジットの付着も多くなる。しかし、上記ガス流量を冷却水温が高くなるほど徐々に少なくすることで、同ガス流量をスラッジ生成の抑制とデポジット付着の抑制との両立を図るうえで適切な値とすることが可能になる。従って、上記期間中に吸気通路３に戻されるブローバイガスのガス流量の増量を上述したように行うことで、エンジン１のオイルでスラッジが生成されやすくなるという現象を的確に抑制しつつ、吸気通路３での上記デポジットの付着も的確に抑えることができるようになる。
【００７３】
（７）燃焼室２からブローバイガスがクランクケース１０内に漏れたときの同ケース１０内での同ガスの雰囲気温度に対応する値として、水温センサ２５によって検出されるエンジン１の冷却水温が用いられる。従って、エンジン１の冷却水温が許可温度以上になってから暖機完了温度（例えば８０℃）になるまでの期間中、上記冷却水温に基づき吸気通路３に戻されるブローバイガスのガス流量を調整することで、上記雰囲気温度に基づく同ガス流量の調整を的確に行うことができるようになる。
【００７４】
なお、上記実施形態は、例えば以下のように変更することもできる。
・ＥＧＲの実行時、燃焼室２からクランクケース１０に漏れるブローバイガス中における単位堆積当たりの水蒸気の量が多くなるほど、クランクケース１０から吸気通路３に戻されるブローバイガスのガス流量を多くしてもよい。なお、上記水蒸気の量に関しては、排気通路４に排気中の単位体積当たりの二酸化炭素の量を検出するセンサを設け、そのセンサの検出信号に基づき求めることが可能である。これは、燃焼室２からクランクケース１０に漏れるブローバイガス中（排気中）の二酸化炭素の量が多くなるほど、同ガス中の水蒸気の量が多くなるという関係があるためである。
【００７５】
・補正値Ｈを目標ＥＧＲ率に基づき算出するだけでなく、冷却水温に基づき同冷却水温が高くなるほど小さくなるよう算出してもよい。その際、補正値Ｈを目標ＥＧＲ率と冷却水温との二次元マップで算出したり、予め設定された計算式を用いて目標ＥＧＲ率と冷却水温とに基づき算出したりすることが考えられる。
【図面の簡単な説明】
【００７６】
【図１】本実施形態のブローバイガス処理装置が適用されるエンジン全体を示す略図。
【図２】ＰＣＶバルブの開度指令値である指令ステップ数Ｒを算出するために用いられるマップ。
【図３】エンジンの吸気圧の変化に対する吸気通路に戻されるブローバイガスのガス流量の推移を示すグラフ。
【図４】ＰＣＶバルブの開度制御手順を示すフローチャート。
【図５】エンジンの冷却水温の上昇に伴う指令ステップ数Ｒの変化を示すグラフ。
【符号の説明】
【００７７】
１…エンジン、２…燃焼室、３…吸気通路、４…排気通路、５…燃料噴射弁、６…点火プラグ、７…ピストン、７ａ…ピストンリング、８…クランクシャフト、９…シリンダ内壁、１０…クランクケース、１１…スロットルバルブ、１２…新気導入通路、１３…ガス流出通路、１４…ＰＣＶバルブ、１７…ＥＧＲバルブ、１８…ＥＧＲ通路、１９…電子制御装置（制御手段）、２０…アクセルペダル、２１…アクセルポジションセンサ、２２…スロットルポジションセンサ、２３…エアフロメータ、２４…クランクポジションセンサ、２５…水温センサ、２６…吸気温センサ。
【図１】
2010112356.tif 000003
【図２】
2010112356.tif 000004
【図３】
2010112356.tif 000005
【図４】
2010112356.tif 000006
【図５】
2010112356.tif 000007